(57)【特許請求の範囲】
【請求項１】
シールド電線の端末部に装着された接続端子に設けられた接続刃によりシールド編組と接続されるシールド電線の端末処理方法において、
外周面の外方へ突出しかつ加締めにより軸心方向へ回動変位する回動部材の自由端部に接続刃を有する前記接続端子が、前記シールド電線の心線及び絶縁内皮を突出せしめた先端から挿入され、前記接続端子の後端に設けられた位置決め片が絶縁外皮端面に当たり位置決めされた後、前記回動部材が前記シールド電線の絶縁外皮上から軸心方向に加締められることで、前記シールド電線の絶縁外皮を破り前記シールド編組と前記接続端子が接続されることを特徴とするシールド電線の端末処理方法。
【請求項２】
シールド電線の端末部に心線及び絶縁内皮を突出せしめ、先端より接続刃を有する円管状の接続端子が被せられ、該接続端子と前記シールド電線のシールド編組が前記接続刃により接続されるシールド電線の端末処理構造において、
前記接続端子が、外周面の外方へ突出しかつ加締めにより軸心方向へ回動変位し、自由端部に軸心方向に向いた接続刃を有する回動部材と、
前記接続端子の後端に設けられ、前記シールド電線の心線及び絶縁内皮を突出せしめた先端から挿入されたとき、絶縁外皮端面に当たり該接続端子を位置決めする位置決め片と、を備えていることを特徴とするシールド電線の端末処理構造。
【発明の詳細な説明】
【０００１】
【発明の属する技術分野】
本発明は、自動車等の電気系統の接続に使用されるシールド編組を備えたシールド電線の接続作業を容易にするシールド電線の端末処理方法及び端末処理構造に関する。
【０００２】
【従来の技術】
従来からシールド電線の端末処理方法及び端末処理構造に関しては種々なものが知られている。例えば、図５に示した従来のシールド電線の端末処理構造５１は、シールド電線Ｗの端末部に心線５２及び絶縁内皮５３を突出させ、先端よりシールド接続手段６０を有する円管状の接続端子５４が被せられている。これにより、接続端子５４とシールド電線Ｗのシールド編組５７とがシールド接続手段６０により接続されるものである。
【０００３】
さらに詳しくは、シールド電線Ｗは接続端子５４の位置出しをするために絶縁外皮６１を先端から長さＬ３だけシールド編組５７を残して剥ぎ取られる。そして、心線５２は図示されない雄型端子を接続するために長さＬ４だけ突出させるようにシールド編組５７及び絶縁内皮５３が剥ぎ取られる。
【０００４】
次に、接続端子５４が上述したように処理されたシールド電線Ｗの先端から挿入されると絶縁外皮６１に当たって位置決めされる。この時、小管部５６は露出したシールド編組５７の外側を覆い、小管部５６の先端にはみ出しているシールド編組５７は小管部５６外周に長さＬ５だけ折り返されて折返し編組部５８を形成する。
【０００５】
この折返し編組部５８外周に金属製の加締めスリーブ５９を被せた後、矢印Ｐの位置で複数箇所で加締められると、シールド編組５７は接続端子５４に電気的にも接続される。即ち、シールド接続手段６０は、接続端子５４の小管部５６と、折返し編組部５８と、加締めスリーブ５９とから構成されている。
また、折返し編組部５８は、加締めスリーブ５９と小管部５６に挟まれて加締められるから絶縁内皮５３が心線５２の発熱で軟化しても電気的な接続状態が低下することはない。なお、接続端子５４の大管部５５外周には図示されない管状のシールドシェルが接続されて図示されない雄型端子を覆ってシールドする。
【０００６】
【発明が解決しようとする課題】
しかしながら、上記従来のシールド電線の端末処理方法及び端末処理構造においては、シールド電線Ｗの絶縁外皮６１とシールド編組５７とを別々にカットしなければならず、シールド編組５７を折り返して折返し編組部５８を形成しなければならないことで、作業効率が低下するという問題があった。
また、接続端子５４と加締めスリーブ５９の２部品が必要になるので、部品管理が煩雑となるという問題があった。
【０００７】
本発明に係わる課題は、上記問題点に鑑みてなされたものであり、シールド電線の前処理が簡単で部品点数が少なく、作業効率の向上を図ることができるシールド電線の端末処理方法及び端末処理構造を提供することである。
【０００８】
【課題を解決するための手段】
本発明に係わる上記課題は、シールド電線の端末部に装着された接続端子に設けられた接続刃によりシールド編組と接続されるシールド電線の端末処理方法において、外周面の外方へ突出しかつ加締めにより軸心方向へ回動変位する回動部材の自由端部に接続刃を有する接続端子が、シールド電線の心線及び絶縁内皮を突出せしめた先端から挿入され、接続端子の後端に設けられた位置決め片が絶縁外皮端面に当たり位置決めされた後、回動部材がシールド電線の絶縁外皮上から軸心方向に加締められることで、シールド電線の絶縁外皮を破りシールド編組と接続端子が接続されることを特徴とするシールド電線の端末処理方法によって解決することができる。
【０００９】
また、本発明に係わる上記課題は、シールド電線の端末部に心線及び絶縁内皮を突出せしめ、先端より接続刃を有する円管状の接続端子が被せられ、該接続端子とシールド電線のシールド編組が接続刃により接続されるシールド電線の端末処理構造において、接続端子が、外周面の外方へ突出しかつ加締めにより軸心方向へ回動変位し、自由端部に軸心方向に向いた接続刃を有する回動部材と、接続端子の後端に設けられ、シールド電線の心線及び絶縁内皮を突出せしめた先端から挿入されたとき、絶縁外皮端面に当たり該接続端子を位置決めする位置決め片と、を備えていることを特徴とするシールド電線の端末処理構造によって解決することができる。
【００１１】
上記構成のシールド電線の端末処理構造によれば、接続端子が、外周面の外方へ突出しかつ加締めにより軸心方向へ回動変位し、自由端部に軸心方向に向いた接続刃を有する回動部材と、接続端子の後端に設けられ、シールド電線の心線及び絶縁内皮を突出せしめた先端から挿入されたとき、絶縁外皮端面に当たり該接続端子を位置決めする位置決め片と、を備えている。従って、シールド電線の先端処理は心線及び絶縁内皮を突出させる以外は、シールド編組を残すことなく絶縁外皮と共に切断すれば良く、シールド編組を折り返す必要もない。よって、接続端子のシールド電線への接続作業の作業効率を向上させることができる。
【００１２】
また、上記接続刃が接続端子の外周面の外方へ突出し、かつ加締めにより軸心方向へ回動変位する回動部材の自由端部に設けられていると、加締めにより接続刃は絶縁外皮破ってシールド編組に確実に接続されると共に、接続刃は絶縁内皮に食い込むので加締めと共に接続端子に対するシールド電線の位置は確実に保持される。よって、接続端子のシールド電線への接続構造の信頼性を向上させることができる。また、シールド電線以外は接続刃を有する接続端子だけであるから部品点数が少なく、部品管理の簡略化や原価の低減を図ることができる。
【００１４】
【発明の実施の形態】
以下、本発明のシールド電線の端末処理構造の実施形態を図１乃至図４に基づいて詳細に説明する。図１は本発明のシールド電線の端末処理構造の実施形態を示す分解斜視図、図２は図１における縦断面図、図３は図２にスリーブを追加した縦断面図、図４は図１における接続端子の変形例を示す斜視図である。
図１に示すように、本実施形態のシールド電線の端末処理構造１は、シールド電線Ｗの端末部に心線２及び絶縁内皮３を突出させ、先端よりシールド接続手段１０を有する円管状の接続端子４が被せられる。これにより、接続端子４とシールド電線Ｗのシールド編組７とがシールド接続手段１０により接続される。
【００１５】
さらに詳しくは、図２に示すようにシールド電線Ｗは、接続端子４の位置出しをするために絶縁外皮１１及びシールド編組７が先端から長さＬ１だけ剥ぎ取られる。そして、心線２は図示されない雄型端子を接続するために長さＬ２だけ突出させるように絶縁内皮３が剥ぎ取られている。次に、接続端子４が上述のように処理されたシールド電線Ｗの先端から挿入されると、後端に設けられた位置決め片４ａが絶縁外皮１１の端面に当たって位置決めされる。この時、小管部６は絶縁外皮１１の外側を覆っている。
【００１６】
そして、接続端子４とシールド電線Ｗのシールド編組７がシールド接続手段１０を図中矢印Ｐ方向に加締めることにより接続される。なお、シールド接続手段１０はシールド電線Ｗの絶縁外皮１１を破りシールド編組７に接続される軸心方向に向いた接続刃１２と、接続刃１２を支えるために接続端子４の外周面から外方へ突出させ、加締時に軸心方向へ回動変位する回動部材１３とから構成されている。
【００１７】
上記構成のシールド電線の端末処理構造１は、先ずシールド電線Ｗの先端から長さＬ１のところで絶縁外皮１１とシールド編組７が共に切断されて取り除かれた後、先端から長さＬ２のところから絶縁内皮３が取り除かれてシールド電線Ｗの先端処理が完了される。そして、シールド電線Ｗの先端から接続端子４を大管部５から先に嵌めると小管部６は絶縁外皮１１の外周に嵌入されて端面に位置決め片４ａが当接されて軸方向に位置決めされる。
【００１８】
次に、加締治具等によりＰ方向から加締めると回動部材１３が回動変位され、回動部材１３の変位に伴って接続刃１２が絶縁外皮１１を切り裂いて軸心方向へ進入し、その先端部分がシールド遍組７に接触する。この加締作業は必ずしも矢印Ｐの一方向だけでなく複数方向から行われ、接続端子４はシールド遍組７に確実に接続される。なお、複数の回動支持片１３が同じ向きに設けられているので、加締作業の過程でシールド編組７及び絶縁内皮３を捩るようにして接続刃１２がシールド編組７に接触することになる。
【００１９】
上述したように本実施形態のシールド電線の端末処理構造１においては、シールド接続手段１０が、加締めによりシールド電線Ｗの絶縁外皮１１を破りシールド編組７に接続され、軸心方向に向いた接続刃１２である。そして、この接続刃１２が、接続端子４の外周面から外方へ突出し、加締めにより軸心方向へ回動変位する回動部材１３に設けられている。
従って、シールド電線Ｗの先端処理は心線２及び絶縁内皮３を突出させる以外は、従来のようにシールド編組７を残すことなく絶縁外皮１１と共に切断すれば良く、シールド編組７を折り返す必要もないので、接続端子４のシールド電線Ｗへの接続作業を効率良く行うことができる。
【００２０】
また、加締めにより接続刃１２は絶縁外皮１１を破ってシールド編組７に確実に接続されると共に、接続刃１２は絶縁外皮１１内に食い込むので、接続端子４に対するシールド電線Ｗの位置は確実に保持される。よって、接続端子４のシールド電線Ｗへの接続構造の信頼性を向上させることができる。
更に、シールド電線Ｗ以外は接続刃１２を有する接続端子４だけであり、部品管理が簡素化されると共に部品点数が少ないので、原価を低減することができる。
【００２１】
また、図３に示すようにスリーブ１４が付加されると、上述した接続作業において、加締める前にスリーブ１４を絶縁内皮３とシールド遍組７の間に絶縁外皮１１の端面に面一になるまで嵌入する。この場合、接続刃１２はシールド編組７と広い面積で接触しているスリーブ１４に当接するので、接続端子４とシールド編組７間の導通状態は一層確実になる。また、心線２の発熱により絶縁内皮３が軟化しても加締力が低下するようなことはなく、一層信頼性の高い接続端子４のシールド電線Ｗへの接続構造を得ることができる。
【００２２】
次に、第１実施形態の一変形例としてのシールド電線の端末処理構造２１を図４に基づいて説明する。なお、上記実施形態と同一構成の部分には同一符号を付けることにより詳細な説明を省略する。
本実施形態のシールド電線の端末処理構造２１が上述したシールド電線の端末処理構造１と異なる部分は、複数の接続刃１２を支持した回動部材１３が接続端子４の小管部６外周に対して同じ向きに等間隔に設けられているのに比べて、接続端子２４の小管部２６外周に対して、回動部材１３と共に接続刃１２を対向した向きに形成されている点である。
従って、シールド電線の端末処理構造２１は、回動部材１３が対向した向きに設けられているので、加締作業の過程で接続刃１２がシールド編組７に接触する際、シールド編組７及び絶縁内皮３を捩るような力は発生しない。
【００２５】
【発明の効果】
以上説明したように本発明のシールド電線の端末処理方法によれば、外周面の外方へ突出しかつ加締めにより軸心方向へ回動変位する回動部材の自由端部に接続刃を有する接続端子が、シールド電線の心線及び絶縁内皮を突出せしめた先端から挿入され、接続端子の後端に設けられた位置決め片が絶縁外皮端面に当たり位置決めされた後、回動部材がシールド電線の絶縁外皮上から軸心方向に加締められることで、シールド電線の絶縁外皮を破りシールド編組と接続端子が接続されるので、シールド電線の先端処理は心線および絶縁内皮を突出させる以外は、シールド編組を残すことなく絶縁外皮と共に切断すれば良く、シールド編組を折り返す必要もない。
また、加締めにより接続刃は絶縁外皮を破ってシールド編組に確実に接続されると共に、接続刃は絶縁内皮に食い込むので、接続端子は確実にシールド電線に保持される。よって、接続端子のシールド電線への接続作業を効率良く行うことができる。
【００２６】
また、本発明のシールド電線の端末処理構造によれば、接続端子が、外周面の外方へ突出しかつ加締めにより軸心方向へ回動変位し、自由端部に軸心方向に向いた接続刃を有する回動部材と、接続端子の後端に設けられ、シールド電線の心線及び絶縁内皮を突出せしめた先端から挿入されたとき、絶縁外皮端面に当たり該接続端子を位置決めする位置決め片と、を備えている。
従って、シールド電線の先端処理は心線および絶縁内皮を突出させる以外は、シールド編組を残すことなく絶縁外皮と共に切断すれば良く、シールド編組を折り返す必要もない。よって、接続端子のシールド電線への接続作業の作業効率を向上させることができる。
【００２７】
また、上記接続刃が接続端子の外周面の外方へ突出し、かつ加締めにより軸心方向へ回動変位する回動部材の自由端部に設けられていると、加締めにより接続刃は絶縁外皮破ってシールド編組に確実に接続されると共に、接続刃は絶縁内皮に食い込むので接続端子をシールド電線に確実に保持させることができる。
よって、接続端子のシールド電線への接続構造の信頼性を向上させることができると共に、シールド電線以外は接続刃を有する接続端子だけであるから部品点数が少なく、部品管理の簡略化と原価の低減を図ることができる。
【図面の簡単な説明】
【図１】本発明のシールド電線の端末処理構造の第１実施形態を示す分解斜視図である。
【図２】図１における接続完了状態を示す縦断面図である。
【図３】図２におけるスリーブを追加した状態を示す縦断面図である。
【図４】第１実施形態における接続端子の一変形例を示す斜視図である。
【図５】従来のシールド電線の端末処理構造の一例を示す縦断面図である。
【符号の説明】
１、２１、３１  シールド電線の端末処理構造
２  心線
３  絶縁内皮
４、２４、３４  接続端子
７  シールド編組
１０  接続手段
１１  絶縁外皮
１２、３２  接続刃
１３  回動部材
１４  スリーブ
２６  小管部
３３  突出部材
【図１】
0003591702.tif 000002
【図２】
0003591702.tif 000003
【図３】
0003591702.tif 000004
【図４】
0003591702.tif 000005
【図５】
0003591702.tif 000006